(57)【要約】 【課題】  使用者が、カラーサンプルを自毛に沿わせるように装着して適確にヘアカラーの確認ができる、低コストで製造可能なコンパクトなかつら用カラーチャートを提供する。  【解決手段】  シート状のベース部４と、ベース部４の一方の面４Ａに取り付けられた所定の色に染色された擬毛６Ａ〜６Ｃと、ベース部４の他方の面４Ｂに取り付けられた雄側面ファスナ１０Ａと、を有するカラーサンプルであって、異なる色の擬毛が取り付けられた複数のカラーサンプル２と、複数のカラーサンプル２を並べて保持可能な雌側面ファスナが取り付けられた台紙部と、を備え、ベース部４に縫着された擬毛の列８Ａ〜８Ｃが、所定の間隔で複数列設けられているかつら用カラーチャートを提供する。【選択図】  図１
2018154935.tif 000002
【特許請求の範囲】
【請求項１】
シート状のベース部と、前記ベース部の一方の面に取り付けられた所定の色に染色された擬毛と、前記ベース部の他方の面に取り付けられた雄側面ファスナと、を有するカラーサンプルであって、異なる色の擬毛が取り付けられた複数のカラーサンプルと、
前記複数のカラーサンプルを並べて保持可能な雌側面ファスナが取り付けられた台紙部と、を備え、
前記ベース部に縫着された前記擬毛の列が、所定の間隔で複数列設けられていることを特徴とするかつら用カラーチャート。
【請求項２】
前記擬毛が前記ベース部の１つの辺から外側に前記一方の面に沿った方向に伸びており、前記ベース部の前記１つの辺から離間した側の列の前記擬毛が、前記１つの辺に近接した側の列の前記擬毛の上側に位置するように伸びていることを特徴とする請求項１に記載のかつら用カラーチャート。
【請求項３】
前記台紙部が折り曲げ線に沿って折り曲げられるカバー領域を有し、折り曲げられた前記カバー領域により、前記台紙部に保持された前記カラーサンプルの前記擬毛の毛先領域を覆うことを特徴とする請求項１に記載のかつら用カラーチャート。
【発明の詳細な説明】
【技術分野】
【０００１】
本発明は、かつらのヘアカラーを定めるために用いるかつら用カラーチャートに関する。
【背景技術】
【０００２】
通信販売等でかつらを販売するとき、購入希望者がかつらのヘアカラーを定めることができるように、異なるヘアカラーの毛束見本を購入希望者に送付する場合がある。しかし、送付された毛束を頭に付けて確認することはできないので、購入希望者は、かつらを装着したときの仕上がりのイメージを持つことができず、ヘアカラーを適確に確認するのが困難である。これに対処するため、複数の異なるヘアカラーのかつら状のサンプルから構成されるヘアカラーチャートが提案されている（例えば、特許文献１参照）。
【先行技術文献】
【特許文献】
【０００３】
【特許文献１】特開２０１１−１４３０８０
【発明の概要】
【発明が解決しようとする課題】
【０００４】
特許文献１に記載のかつら状のサンプルは、顔の額の所定の領域を覆う前髪部分及び顔の側面に沿って流れるサイド部分を有する。よって、購入希望者は、実際にかつら状のサンプルを装着して、仕上がりのイメージを抱きながら適確にヘアカラーの確認ができる。しかし、前髪部分及びサイド部分を有するかつら状のサンプルを複数備える必要があるので、非常に嵩張り、ヘアカラーチャートの送付や保管が困難となり、ヘアカラーチャートの製造コストも上昇する。
【０００５】
本発明は、上記の課題を解決するものであり、かつらの購入希望者が、カラーサンプルを自毛に沿わせるように装着して適確にヘアカラーの確認ができる、低コストで製造可能なコンパクトなかつら用カラーチャートを提供することを目的とする。
【課題を解決するための手段】
【０００６】
上記の課題を解決するため、本発明の１つの実施態様に係るかつら用カラーチャートは、
シート状のベース部と、前記ベース部の一方の面に取り付けられた所定の色に染色された擬毛と、前記ベース部の他方の面に取り付けられた雄側面ファスナと、を有するカラーサンプルであって、異なる色の擬毛が取り付けられた複数のカラーサンプルと、
前記複数のカラーサンプルを並べて保持可能な雌側面ファスナが取り付けられた台紙部と、を備え、
前記ベース部に縫着された前記擬毛の列が、所定の間隔で複数列設けられている。
【発明の効果】
【０００７】
以上のように、本発明においては、かつらの購入希望者が、カラーサンプルを自毛に沿わせるように装着して適確にヘアカラーの確認ができる、低コストで製造可能なコンパクトなかつら用カラーチャートを提供することができる。
【図面の簡単な説明】
【０００８】
【図１】本発明の１つの実施形態に係るかつら用カラーチャートを構成するカラーサンプルを模式的に示す斜視図である。
【図２】図１に示すカラーサンプルに取り付けられた雄側面ファスナを構成するモノフィラメントを模式的に示す拡大斜視図である。
【図３】本発明の１つの実施形態に係るかつら用カラーチャートを構成するカラーサンプル及び台紙を模式的に示す平面図である。
【図４】本発明の１つの実施形態に係るかつら用カラーチャートを模式的に示す図であって、カバー領域を広げた状態を示す平面図である。
【図５】本発明の１つの実施形態に係るかつら用カラーチャートを模式的に示す図であって、カバー領域を折り曲げた状態を示す平面図である。
【図６】本発明に係るかつら用カラーチャートを使用者が用いる一例を模式的に示した図である。
【図７】所定の間隔をあけてベース部に縫着された複数の擬毛の列を形成する方法の一例を示す図（写真）である。
【発明の詳細な説明】
【０００９】
はじめに、本発明の全般的な説明として、本発明の実施態様に係るかつら用カラーチャートについて記載する。
【００１０】
本発明の実施態様１に係るかつら用カラーチャートは、
シート状のベース部と、前記ベース部の一方の面に取り付けられた所定の色に染色された擬毛と、前記ベース部の他方の面に取り付けられた雄側面ファスナと、を有するカラーサンプルであって、異なる色の擬毛が取り付けられた複数のカラーサンプルと、
前記複数のカラーサンプルを並べて保持可能な雌側面ファスナが取り付けられた台紙部と、を備え、
前記ベース部に縫着された前記擬毛の列が、所定の間隔で複数列設けられている。
【００１１】
本実施態様では、ベース部に取り付けられた雄側面ファスナを用いて、使用者は、カラーサンプルを自毛に沿わせて装着することができる。特に、カラーサンプルのベース部に縫着された擬毛の列が所定の間隔で複数列設けられているので、擬毛は自然な流れを形成し、カラーサンプルの毛先が自然と使用者の自毛になじむようになる。よって、かつらの購入希望者は、容易にかつらを装着した仕上がりのイメージが持つことができ、ヘアカラーを適確に確認することができる。
【００１２】
また、本かつら用カラーチャートは、シート状のベース部に雄側面ファスナ及び擬毛が取り付けられた複数のカラーサンプルと、台紙部とから構成されるので、製造コストが低く、コンパクトなカラーチャートが実現できる。
【００１３】
以上のように、本実施態様では、かつらの購入希望者が、カラーサンプルを髪に沿わせるように装着して適確にヘアカラーの確認ができる、低コストで製造可能なコンパクトなかつら用カラーチャートを提供することができる。
【００１４】
本発明の実施態様２に係るかつら用カラーチャートは、上記の実施態様１において
前記擬毛が前記ベース部の１つの辺から外側に前記一方の面に沿った方向に伸びており、前記ベース部の前記１つの辺から離間した側の列の前記擬毛が、前記１つの辺に近接した側の列の前記擬毛の上側に位置するように伸びている。
【００１５】
本実施態様では、所定の間隔で設けられた複数の擬毛の列のうち、ベース部の１つの辺から離間した側の列の擬毛が、１つの辺に近接した側の列の擬毛の上側に位置するように伸びているので、より自然な外観を得ることができ、擬毛の毛先を使用者の自毛により効果的になじませることができる。
【００１６】
本発明の実施態様３に係るかつら用カラーチャートは、上記の実施態様１または２において
前記台紙部が折り曲げ線に沿って折り曲げられるカバー領域を有し、折り曲げられた前記カバー領域により、前記台紙部に保持された前記カラーサンプルの前記擬毛の毛先領域を覆う。
【００１７】
本実施態様では、シンプルな構造で、台紙部に保持されたカラーサンプルの擬毛の毛先領域を確実に保護することができる。
【００１８】
次に、本発明の実施形態に係るかつらベース及びこのかつらベースを用いたかつらについて、以下に図面を用いながら詳細に説明する。  
【００１９】
(１つの実施形態に係るかつら用カラーチャート）
＜カラーサンプル＞
はじめに、図１及び図２を参照ながら、本発明の１つの実施形態に係るかつら用カラーチャートを構成するカラーサンプルの説明を行う。図１は、本発明の１つの実施形態に係るかつら用カラーチャートを構成するカラーサンプルを模式的に示す斜視図である。図２は、図１に示すカラーサンプルに取り付けられた雄側面ファスナを構成するモノフィラメントを模式的に示す拡大斜視図である。
【００２０】
図１に示すカラーサンプル２は、シート状のベース部４を有し、ベース部４の一方の面４Ａに、所定の色に染色された擬毛６Ａ〜６Ｃが取り付けられ、ベース部４の他方の面４Ｂに、雄側面ファスナ１０Ａが取り付けられている。ベース部４の材料として、樹脂製シートや織物、編み物等の布材を採用することができる。ベース部４としては、一辺の長さが２〜５ｃｍ程度の三角形、長方形、正方形、台形、平行四辺形等の平面形状を有することを例示できる。また、外形の少なくとも一部に曲線部分を有するものや、楕円形状の平面形状も考えられる。
【００２１】
擬毛６Ａ〜６Ｃはベース部４に縫着されており、縫着された擬毛６Ａの列８Ａ、擬毛６Ｂの列８Ｂ、及び擬毛６Ｃの列８Ｃが、それぞれ所定の間隔をあけて、ベース部４の１つの辺４Ｃに対して略平行に配置されている。なお、本実施形態では３つの擬毛の列が配置されているが、これに限られるものではなく、２つの列が配置されている場合も、４つ以上の列が配置されている場合もあり得る。
【００２２】
ベース部４から伸びた擬毛６Ａ〜６Ｃの長さとしては、３〜２０ｃｍを例示することができるが、用途に応じて、その他の任意の長さを採用することができる。擬毛は、人工毛を用いることも人毛を用いることもできる。
【００２３】
図１から明らかなように、擬毛６Ａ〜６Ｃは、ベース部４の１つの辺４Ｃから外側に伸び、かつ一方の面４Ａに沿った方向に伸びている。また、ベース部の１つの辺４Ｃから離間した側の列の擬毛が、１つの辺４Ｃに近接した側の列の擬毛の上側に位置するように伸びている。更に詳細に述べれば、擬毛６Ａ及び６Ｂの間では、ベース部の１つの辺４Ｃから離間した側の列の擬毛６Ａが、１つの辺４Ｃに近接した側の列の擬毛６Ｂの上側に位置するように伸びている。擬毛６Ｂ及び６Ｃの間では、ベース部の１つの辺４Ｃから離間した側の列の擬毛６Ｂが、１つの辺４Ｃに近接した側の列の擬毛６Ｃの上側に位置するように伸びている。
【００２４】
擬毛６Ａ〜６Ｃの列８Ａ〜８Ｃは、例えば、図７に示すような方法で形成することができる。ここで、図７は、所定の間隔をあけてベース部に縫着された複数の擬毛の列を形成する方法の一例を示す図（写真）である。
（ａ）に示すように、所定の長さ（例えば、３０ｃｍ程度）の毛材を用意し、毛先の位置を若干（例えば、２ｃｍ程度）ずらしながら配置する（Ｑ及びＲで示す線の間の領域参照）。このとき、概略中央のＰで示す位置で折り返して、ミシンで縫製をする。このように、折り返す位置を毛材の中心からずらすことで、毛先の長さが一定にならず、自然に薄くなるように擬毛を配置できる。
【００２５】
次に、（ｂ）に示すように、矢印Ｐで示す位置で折り返してミシンで縫製する。これにより
複数の擬毛６の列８を形成することができる。次に、（ｃ）に示すように、これを各カラーサンプルの幅（例えば、３ｃｍ程度）に切り分ける。ここでは、３つの擬毛の列（擬毛６Ａの列８Ａ、擬毛６Ｂの列８Ｂ、擬毛６Ｃの列８Ｃ）が切り出されたところを示す。なお（ｃ）では、各擬毛の列が識別し易いように異なるヘアカラーで示してある。次に（ｄ）に示すように、擬毛６Ａの列８Ａ、擬毛６Ｂの列８Ｂ及び擬毛６Ｃの列８Ｃを、所定の間隔をあけて、擬毛ベース部に縫製していく。このとき、カラーサンプルのベース部は、頭部に付けたときに色の確認がしやすいように、縦長より横長（幅方向が長い）になる方が良い。以上により、図１に示すような擬毛６Ａ〜６Ｃの配置が実現できる。
【００２６】
上記のように、全ての擬毛を略中央部で縫着するのではなく、少なくとも一部の擬毛で縫着する位置を異ならせることにより、自然な外観を得ることができる。また、長さの異なる擬毛を用いて縫着することもできる。更に、図１に示す状態を形成した後で、はさみ等で擬毛の長さを調整することもできる。本実施形態に係るカラーサンプル２は、使用者の自毛に沿うように、特に擬毛の毛先が使用者の自毛に沿うように、自然な外観を有するように形成することが好ましい。
【００２７】
一方、雄側面ファスナ１０は、図２に示すように、ベース部４の他方の面４Ｂから突設された複数のモノフィラメント３を有する。モノフィラメント３は、ベース部４の他方の面４Ｂから立ち上がる軸部３ａと、軸部３ａの先端に頭部３ｂを横方向へ平たく膨出させた平茸のような形状を有する。モノフィラメント３の頭部３ｂを膨出させたことにより、使用者がカラーサンプル２を自毛に装着するとき、モノフィラメント３の頭部３ｂに使用者の自毛が引っ掛かり易くなり、かつ抜けにくいという投錨効果が得られる。
【００２８】
図２に示すように、モノフィラメント３のサイズは、軸部３ａの直径ｄ１と軸部３ａの高さｈ１と頭部３ｂの直径ｄ２のそれぞれを０．２ｍｍ以上０．４ｍｍ以下の範囲とすることが好ましい。一般に、頭部自毛の平均的な太さは０．０７ｍｍないし０．０８ｍｍであり、モノフィラメント３のサイズが０．２ｍｍ未満では、自毛の挟持固定に預かることができる自毛の本数及びモノフィラメント３自体の表面積が少なくなり、モノフィラメント３による係止力が弱くなって、カラーサンプル２の固定力が低下する。一方、モノフィラメント３のサイズが０．４ｍｍを超えると、自毛の挟持固定に預かることができる自毛の本数及びモノフィラメント３自体の表面積が広すぎて、自毛の１本あたりの係止力が分散してしまい、安定した固定力が得られない。
【００２９】
各モノフィラメント３間における頭部３ｂの縦横の間隔ｃ１、ｃ２は０．１ｍｍ以上０．３ｍｍ以下の範囲、また軸部３ａの縦横の間隔ｃ３，ｃ４は０．２ｍｍ以上０．４ｍｍ
以下の範囲が適当である。
【００３０】
モノフィラメント３をこのように形成して配置することにより、使用者がカラーサンプル２を自毛に押圧したときに、軸部３ａの間隔ｃ３、ｃ４に入り込んだ自毛が軸部３ａの間から抜け出ることがなく、自毛の動きが制限されること、また軸部３ａの間隔ｃ３、ｃ４に入り込める自毛が２本ないし３本程度でも雄側面ファスナ１０内で均一に分散されて安定した固定力が得られる。各モノフィラメント３における頭部３ｂの間隔ｃ１、ｃ２を０．ｌｍｍ未満にすると、モノフィラメント３の間に自毛が入り込めずにモノフィラメント３上面に留まった状態になり、強い係止力が生まれず固定力が低下する。一方、間隔ｃ１、ｃ２が０．３ｍｍを超えると、各モノフィラメント間に入り込んだ自毛が再びモノフィラメントの上に飛び出し易くなり、自毛がモノフィラメントに引っ掛からずアンカー効果が生じず、自毛の固定力が低下する。
【００３１】
また、各モノフィラメント３における軸部３ａの縦横の間隔ｃ３、ｃ４が０．２ｍｍ未満であると、各モノフィラメント間に入り込めることのできる自毛が少なくなり、モノフィラメントによる自毛を固定する力が弱くなり、部材全体としての自毛の固定力が低下してしまう。一方、間隔ｃ３、ｃ４が０．４ｍｍを超え、かつ頭部３ｂの間隔ｃ１，ｃ２が軸部３ａの間隔ｃ３，ｃ４と同等以上になると、各モノフィラメント３の間に入り込む自毛の本数が多くなり、雄側面ファスナ１０内で自毛の片寄りが起こること、さらに一旦各モノフィラメント３の間に入り込んだ自毛が頭部の動きで容易に飛び出して自由度が増すため、係止力が効かなくなり、固定力が低下する。
【００３２】
なお、雄側面ファスナ１０は上記の構造を有するものに限られるものではなく、例えば、フック状に起毛された雄側面ファスナや、鋸歯状のシャークバイトを有する雄側面ファスナを用いることもできるし、その他、面ファスナとして知られる任意のものを採用することができる。  
【００３３】
ベース部４の一方の面４Ａには、図１に示すように、カラーサンプル２を識別するための標識を付けることができる。例えば、カラーサンプル２のヘアカラーを表示したり、カラーサンプル２の識別用の記号や名称を表示することもできる。
【００３４】
＜カラーチャート＞
次に、図３〜図５を参照しながら、本発明の１つの実施形態に係るカラーチャートの説明を行う。図３は、本発明の１つの実施形態に係るかつら用カラーチャートを構成するカラーサンプル及び台紙を模式的に示す平面図である。図４は、本発明の１つの実施形態に係るかつら用カラーチャートを模式的に示す図であって、カバー領域を広げた状態を示す平面図である。図５は、本発明の１つの実施形態に係るかつら用カラーチャートを模式的に示す図であって、カバー領域を折り曲げた状態を示す平面図である。
【００３５】
図３に示すように、本実施形態に係るカラーチャート３０は、様々な色に染色された擬毛を有する複数のカラーサンプル２、及び台紙部２０を備える。ここでは、７種類のカラーサンプル２を備える場合を示す。販売するかつらのヘアカラーに応じて任意の数のカラーサンプルを備えることができるが、一般的に、消費者は、サンプル数が少なすぎると、製品に対する不満が生じ易く、多すぎると、どれが適切なヘアカラーか判断がつきにくくなる。それらを考慮すると、６から８種類程度のカラーサンプルを備えるのが好ましいといえる。ただし、これに限られるものではなく、用途に応じて、その他の任意の数のカラーサンプルを備えることができる。
【００３６】
台紙部２０の図面上側には、７種類のカラーサンプル２を横に並べることが可能な長さの帯状の雌側面ファスナ１０Ｂが取り付けられている。この雌側面ファスナ１０Ｂは、上記の雄側面ファスナ１０Ａと係合して一対で用いられるように形成されている。雄側面ファスナ１０Ａ及び雌側面ファスナ１０Ｂの材料としては、面ファスナに用いられる任意の樹脂材料を適用することができる。以上のような構成により、図３の矢印に示すように、カラーサンプル２を台紙部２０に対して容易に着脱することができる。また、台紙部２０の図面下側には、折り曲げ線２２が設けられている。
【００３７】
台紙部２０の寸法は、カラーサンプル２の大きさ、特に擬毛６の長さ、及びカラーサンプルの２の数により定まるが、１辺が１０〜３０ｃｍの長方形または正方形の平面形状を有する場合を例示することができる。台紙部２０は、ある程度の強度を有する厚紙で形成することができ、樹脂製シートで形成することもできる。
【００３８】
図４及び図５は、雄側面ファスナ１０Ａ及び雌側面ファスナ１０Ｂの係合により、カラーサンプル２が台紙部２０に取り付けられている状態を示す。図４では、折り曲げ線２２により折り曲げ可能なカバー部分２０Ａを広げた状態を示し、この状態から、図４の矢印に示すように、折り曲げ線２２を頂点とする谷折りにより、図５に示すように、カバー領域２０Ａにより、台紙部２０に保持されたカラーサンプル２の擬毛６の毛先領域を覆うことができる。
【００３９】
これにより、シンプルな構造で、台紙部２０に保持されたカラーサンプル２の擬毛６の毛先領域を確実に保護することができる。
【００４０】
（カラーチャートの使用方法）  
次に、図６を参照しながら、上記のカラーチャート３０の使用方法について説明する。図６は、本発明に係るかつら用カラーチャート３０を使用者が用いる一例を模式的に示した図である。
【００４１】
図６（ａ）に示すように、使用者は、装着するカラーサンプル２をカラーチャート３０の台紙部２０から取り外す。このとき、雄側面ファスナ１０及び雌側面ファスナ１０Ｂの係合なので、容易に取り外すことができる。次に、図６（ｂ）に示すように、使用者は、自毛の頭の所望の位置にカラーサンプルの雄側面ファスナ１０Ａ側を押し付けることにより、容易にカラーサンプル２を頭に装着することができる。そして、図６（ｃ）に示すように、自毛に沿わせたカラーサンプルを鏡等に映し出して、ヘアカラーを確認することができる。
【００４２】
カラーサンプル２は、雄側面ファスナ１０Ａで自毛に装着されているので、カラーサンプル２が自毛から外れることなく、擬毛６が自毛になじむように調整することができるとともに、容易にカラーサンプル２を自毛から取り外すこともできる。よって、使用者は、様々なヘアカラーのカラーサンプルを容易に付け替えて試すことができるので、使用者の自毛の色に合わせたり、使用者のイメージする色に合わせたりすることができる。
【００４３】
以上のように、カラーサンプル２は、ベース部４に縫着された擬毛６の列が所定の間隔で複数列設けられているので、擬毛６は自然な流れ形成しており、擬毛６の毛先が使用者の自毛になじむようになっている。よって、使用者は、容易にかつらを装着した仕上がりのイメージが持つことができ、ヘアカラーを適確に確認することができる。
【００４４】
更に、ベース部４において、所定の間隔で設けられた複数の擬毛６の列のうち、ベース部の１つの辺４Ｃから離間した側の列の擬毛が、１つの辺４Ｃに近接した側の列の擬毛の上側に位置するように伸びているので、より自然な外観を得ることができ、擬毛の毛先を使用者の髪により効果的になじませることができる。
【００４５】
本かつら用カラーチャート３０は、シート状のベース部４に雄側面ファスナ１０Ａ及び擬毛６が取り付けられた複数のカラーサンプル２と、台紙部２０とから構成されるので、製造コストが低く、コンパクトなカラーチャートが実現できる。以上のように、上記の実施形態では、使用者が、カラーサンプルを髪に沿わせるように装着して適確にヘアカラーの確認ができる、低コストで製造可能なコンパクトなかつら用カラーチャートを提供することができる。
【００４６】
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００４７】
２            カラーサンプル
３            モノフィラメント
３ａ          軸部
３ｂ          頭部
４            ベース部
４Ａ          一方の面
４Ｂ          他方の面
４Ｃ          １つの辺
６、６Ａ〜Ｃ  擬毛
８、８Ａ〜Ｃ  擬毛の列
１０Ａ        雄側面ファスナ
１０Ｂ        雌側面ファスナ
２０          台紙部
２０Ａ        カバー領域
２２          折り曲げ線
３０          カラーチャート
【図１】
2018154935.tif 000003
【図２】
2018154935.tif 000004
【図３】
2018154935.tif 000005
【図４】
2018154935.tif 000006
【図５】
2018154935.tif 000007
【図６】
2018154935.tif 000008
【図７】
2018154935.tif 000009